(57)【特許請求の範囲】
【請求項１】
文書作成装置において，
文書データを表示部へ表示する表示制御部と，入力部からの入力に応じて制御を行う入力制御部と，作成された文書データと共に複数の書体に関する情報を含む書体リストを格納する記憶部とを備え，
表示された文書中の一部の文字列だけを強調するために，前記入力制御部は書体指定を指示する入力と書体変更範囲を指定する入力及びイメージリストの選択入力を検出する手段を備え，
前記表示制御部は前記書体指定を指示する入力に応じて前記記憶部の書体リストの情報に基づいて，前記文書データ内の書体変更範囲として指定された文字列を各書体のイメージにそれぞれ変換し，さらに変更範囲の前後の未変更の文章と組み合わせて書体別にイメージリストを表示し，
前記表示されたイメージリストの中から一つを選択する入力が検出されることにより前記文書データの指定文字列を選択された書体に変換して表示することを特徴とする文書作成装置。
【請求項２】
文書編集機能を備えた文書作成装置において，
文書データを表示部へ表示する表示制御部と，入力部からの入力に応じて制御を行う入力制御部と，作成された文書データを格納すると共に複数の書体に関する情報を含む書体リストを格納する記憶部とを備え，
表示された文書中の一部の文字列だけを強調するために，前記入力制御部は書体変更を指示する入力と書体変更範囲を指定する入力を検出する手段を備え，
前記表示制御部は前記書体変更の指示と書体変更範囲の指示の検出により前記記憶部の書体リストに格納された全ての書体名をリスト表示し，
前記表示制御部は前記書体名リストの表示に対し書体名の選択がなく，リストの表示切り替えの指示が入力されると，前記記憶部の複数の書体名リストの情報に基づいて，前記文書データ内の書体変更範囲として指定された文字列を前記複数の全ての各書体のイメージに変換してイメージリストを表示し，
前記イメージリストの中から一つを選択することにより前記文書データの指定文字列を選択された書体に変換することを特徴とする文書作成装置。
【請求項３】
文書データを作成して表示するためのプログラムを記録したコンピュータ読み取り可能な記録媒体であって，
コンピュータを，文書データの入力と編集により作成された文書データと複数の書体に関する書体リストを格納する手段と，作成された文書データを表示させる手段と，表示させた文書データの一部の文字列だけを強調するための書体指定を指示する入力と書体変更範囲を指定する入力を検出する手段と，前記書体リストの情報に基づいて指定された書体変更範囲の文字列を前記指定された複数の各書体のイメージに変換し，変更範囲の前後の未変更の文章と組み合わせて書体別にイメージリストを表示させる手段と，
前記リスト表示の中から一つを選択する入力を検出する手段と，前記文書データの指定文字列を前記選択された書体に変換させる手段，として機能させるプログラムを記録したコンピュータ読み取り可能な記録媒体。
【発明の詳細な説明】
【０００１】
【発明の属する技術分野】
本発明は文書編集機能を備えるワードプロセッサやＤＴＰ（Desk Top Publishing)装置等の文書作成装置及び記録媒体に関する。
【０００２】
近年のワードプロセッサやＤＴＰ（デスクトップパブリッシング）装置，パーソナルコンピュータ等の文書編集機能を備える文書作成装置では，様々な書体が充実し，文書上での多種多様な表現が可能となっている。誰でも種々な書体を使用でき，綺麗な文書や手紙，葉書，ポスター，広告等を簡単に作成することが可能となってきた。
【０００３】
ところが，使用できる書体がいままでの１書体から２，３書体であったのに比べ，最近ではその数拾倍の１００書体以上を使用できる装置が殆どである。
このため，自分で文書などの作成時にある文字列のみ強調したいが，どの書体を使用した方がより良いのか，その書体の名前とデザインイメージが一致しない等の点でより一層利用者が分かり易い操作で実現できるよう改善が望まれている。
【０００４】
【従来の技術】
従来のワードプロセッサやＤＴＰ装置等では，文書の編集において，文書中の特定の文章を強調したい場合に，その特定の文章の前後の書体（例えば，明朝体）と異なる書体（例えばゴシック体）や，異なる文字サイズに変更する方法が採られる。その場合，特定の文章を変更対象の範囲として指定した上で，書体（または文字サイズ）変更の機能を指示すると，選択可能な書体名，または書体名に対応して決められた番号のリストを含むメニューが表示され，操作者がマウス，キーボードによりその中から希望する書体名または番号を選択する。この選択が完了すると，特定の文章のデータに対して書体名または書体に対応する番号が設定され，装置によっては設定された書体（サイズ）により表示装置に表示される。
【０００５】
【発明が解決しようとする課題】
上記の従来の方法では，利用者が装置固有の書体番号や書体名とデザインイメージを覚えるか，書体見本帳のようなものを使用しなければならない。また，書体変換された後に利用者が意図しているイメージ（一部分の文字列を強調したいが前後の書体より目立たないなど）と合わない場合，再度書体の変更作業を行わなければならない。
【０００６】
本発明はこれらの問題を解決し，利用者が文書中の任意の一部の文章を強調した書体に変更したい時に簡単に利用者が意図したとおりの書体で文書を作成できる文書作成装置を提供することを目的とする。
【０００７】
【課題を解決するための手段】
図１は本発明の基本構成を示す図である。図１において，１は２〜６の各部から成る文書作成の処理を行う文書処理部，２は入力部７からの各種の入力により制御を行う入力制御部であり，２ａは文書の中の任意の部分（文章）の書体を特に指定したい時に指示入力を受け付けて制御を行う書体指定指示入力部，２ｂは書体指定指示入力が発生した後に書体を変更したい範囲を指示する入力により制御動作を行う書体変更範囲指示入力部，２ｃはイメージリスト選択入力部，３は文書処理部１の全体の制御を行う制御部，４は表示制御部であり，４ａは文書データ表示部，４ｂはイメージリスト表示部，５は文書データ５ａ，書体リスト５ｂ等を格納する記憶部，６は表示制御部の制御により表示部に表示する内容を記憶する表示メモリ，７はキーボード，マウス等の入力部，８は液晶，ＣＲＴ等の表示部である。
【０００８】
本発明は入力部７から文書処理部１へ入力された文字等により文書が作成されて記憶部５に文書データ５ａが作成され，同時に表示制御部４の文書データ表示部４ａにより文書データがイメージデータとして表示メモリ６に設定され，その内容が表示部８に表示される。入力部７から書体変換を指定する操作が行われると，入力制御部２の書体指定指示入力部２ａで検出され，続いて書体変更範囲が指定されると，書体変更範囲指示入力部２ｂで検出する。これにより制御部３を介して表示制御部４において，書体変更範囲を通常と異なる表示（反転表示，色を変更する等）を行って表示部８に表示すると共に，表示制御部４のイメージリスト表示部４ｂは指定された範囲の文章を，複数の選択可能な書体のそれぞれのイメージに変換してその一部または全部を元の文章の位置の一定範囲にリスト形式で表示メモリ６に展開して，表示部８に表示する。
【０００９】
表示部８に表示されたイメージリストの中から入力部７で一つを指定すると，イメージリスト選択入力部２ｃは指定された書体を識別し，記憶部５の文書データの該当する文章のデータに対応して指定された書体を設定すると共に，表示制御部４に対し当該文章の表示を選択された書体のイメージだけ表示するよう通知する。これにより，表示メモリ６のイメージリストのイメージデータが書き換えられ選択された書体のイメージデータが設定されて表示部８に表示される。
【００１０】
上記のイメージリストには，同じ種類の書体であっても文字サイズが異なる場合は，それぞれ異なるイメージとして表示される。
上記図１に示す文書処理部１が備える制御機能は，入力制御部２，制御部３及び表示制御部４の各機能を実行するプログラムにより実現することができ，そのプログラムは文書データ５ａと，複数の書体に対応するイメージのデータを含む書体リスト５ｂのデータを使用する。このようなデータを含むプログラムは，外部の可搬型の記録媒体（ＣＤＲＯＭやフロッピーディスク等）の形式で記録し，その記録媒体を読み取り手段により読取って記憶部（ＲＡＭまたはハードディスク）にローディングすることにより実行することができる。
【００１１】
【発明の実施の形態】
上記図１に示す本発明の基本構成を具体化する場合，文書処理部１はＣＰＵ及びメモリからなる処理装置により構成され，入力制御部２，制御部３及び表示制御部４はＣＰＵによるプログラム制御により各機能が実行され，記憶部５はＲＡＭやハードディスク装置により構成される。また，表示メモリ６はＲＡＭにより構成される。更に，入力部７はキーボードやマウスで構成され，表示部８は液晶またはＣＲＴのディスプレイにより構成される。
【００１２】
図２は上記図１の構成による実施例１の処理フローであり，ＣＰＵによりプログラムの制御により実行される。最初に書体指定指示の入力があったか入力制御部２の書体指定指示入力部２ａで判別し（図２のＳ１），入力があった場合は，書体変更範囲指示入力部２ｂを駆動し書体変更の範囲の取得を開始する（同Ｓ２）。変更範囲が取得できたか判別し（図２のＳ３），取得されると，表示制御部４のイメージリスト表示部４ｂを駆動し，記憶部５の書体リスト５ｂにある書体名全てに対し変更範囲の文章をその書体に変更したイメージを作成し，そのイメージをリスト形式で表示メモリ６に設定して表示部８にリスト表示する（同Ｓ４）。次にリスト表示の中から入力部７による書体選択がされたか入力制御部２で判別し（図３のＳ５），選択された場合はイメージリスト選択入力部２ｃの制御により表示制御部４の文書データ表示部４ａを駆動して書体変更範囲の文書データを選択された書体に変更して表示メモリ６を更新して表示部８に表示する（同Ｓ６）。
【００１３】
図３はイメージ展開した書体指定の画面の例であり，Ａ．は例１，Ｂ．は例２を示す。上記図２の実施例１の処理フローにより，Ａ．の例１に示すように，書体変更の範囲が１行中の「強調したい部分」という一部の文章に対して指定された場合，７つの書体（サイズが異なるものを含む）をイメージリストとして表示される。
【００１４】
上記図２の処理フローにおいて，Ｓ４の処理を「書体リストにある書体名全てに対して変更範囲をその書体に変更したイメージを作成し，変更範囲の周囲のデータとともに書体別にリスト表示する」に変更することができる。このように変更すると，変更範囲の書体を変更した時にその前後の未変更の文章と組み合わせた後の文章全体の印象を確認することが可能となる。この場合のイメージリストの例を図３のＢ．の例２として示す。
【００１５】
上記図１に示す基本構成に対して一部の構成を変更して，それぞれ機能が異なる各実施例について説明する。
図４は実施例２の構成を示し，図５は実施例２の処理フローである。
【００１６】
図４において，１〜８は上記図１の同じ符号の各部に対応する。但し，記憶部５に格納される書体リスト５ｂ’には各書体に対応して使用頻度情報が設定されており，この情報は使用に応じて更新される。
【００１７】
図５のフローを参照しながら実施例１の動作を説明すると，上記図２と同様に最初に書体指定指示の入力があったか入力制御部２の書体指定指示入力部２ａで判別し（図５のＳ１），入力があった場合は，書体変更範囲指示入力部２ｂを駆動し書体変更の範囲の取得を開始する（同Ｓ２）。変更範囲が取得できたか判別し（図５のＳ３），取得されると，表示制御部４のイメージリスト表示部４ｂを駆動し，記憶部５の書体リスト５ｂにある書体名全てに対し変更範囲の文章をその書体に変更して，イメージを作成し，そのイメージを使用頻度の高い順に表示メモリ６に設定して表示部８にリスト表示する（同Ｓ４）。次にリスト表示の中から入力部７による書体選択がされたか入力制御部２で判別し（図５のＳ５），選択された場合はイメージリスト選択入力部２ｃの制御により表示制御部４の文書データ表示部４ａを駆動して書体変更範囲の文書データを選択された書体に変更して表示メモリ６を更新して表示部８に表示する（同Ｓ６）。
【００１８】
この実施例２の構成（図４）についても，図５に示す処理フローの中のＳ４の処理を「書体リストにある書体全てに対して変更範囲をその書体に変更したイメージを作成し，変更範囲の周囲のデータとともに使用頻度の高い順に書体別にリスト表示する」という処理に変更し，この後のＳ５，Ｓ６は図５と同様とする。この場合のイメージリストの表示例は，上記図３のＢ．に示される。
【００１９】
図６は実施例３の構成を示し，図７は実施例２の処理フローである。
図６において，１〜８は上記図４の同じ符号の各部に対応する。但し，入力制御部２には，上記実施例２と同様の２ａ，２ｂで示す各部の他に，この実施例３により，書体変換を指示する入力を検出して現在の表示されている書体を次の順番の書体に変更する制御を行う書体再指定指示入力部２ｄと，変換の確定を指示する入力を検出して変換を終了する書体指定終了指示入力部２ｅが設けられている。そして，記憶部５の書体リスト５ｂには上記図１と５ｂと同じ内容が設定されている。
【００２０】
図７に示す処理フローを用いて図６に示す実施例３の動作を説明する。
最初に上記図５のステップＳ１〜Ｓ３と同様に書体指定範囲と変更範囲の取得の処理が実行されると，次に書体番号を表す変数ｎを１に設定し（図７のＳ４），書体リスト５ｂよりｎ番目の書体に関する情報（例えば，書体番号または書体名）を取得する（同Ｓ５）。次に文書データ表示部４ａにおいて，取得した書体に関する情報をもとに書体変更範囲の文書データの書体を変更して表示メモリ６に設定して表示部８に表示する（同Ｓ６）。続いて，書体再指定指示入力部２ｄの入力があったか判別し（図７のＳ７），入力があると書体番号ｎに１を加算し（同Ｓ８），ｎが登録書体数をオーバーしたか判別する（同Ｓ９）。オーバしたらｎ＝１に設定し（図７のＳ１０），上記Ｓ５の処理に戻り，オーバーしない場合は更新した書体番号により書体リスト５ｂからｎ番目の書体に関する情報の取得（同Ｓ５）の処理に戻り，その後の処理を再度繰り返す。
【００２１】
書体再指定指示入力部２ｄへの入力がない場合は（上記Ｓ７），書体指定終了指示入力部２ｅへの入力があったか判別し（図７のＳ１１），あった場合には書体が確定されてこの書体指定の処理を終了するが，ない場合にはＳ７の処理へ戻る。
【００２２】
図８は実施例４の構成を示し，図９は実施例４の処理フローである。
図８において，１〜８は上記図４，図６の同じ符号の各部に対応する。但し，この実施例４では，記憶部５に上記実施例２と同様に使用頻度情報が付加された書体リスト５ｂ’を使用している点を除いて上記実施例３の構成（図６）と同じである。
【００２３】
図９に示す実施例４の処理フローを説明すると，上記図７と同様のＳ１〜Ｓ３の処理が実行されると，次に使用頻度の番号（順番）を表す変数ｎを１に設定する（図９のＳ４）。次に，書体リスト５ｂ’よりｎ番目に使用頻度の高い書体に関する情報（例えば書体番号または書体名）を取得する（図９のＳ５）。この処理により使用頻度が高い順番に書体変更範囲の文書データを取得した書体に変換する。この後の処理（Ｓ６〜Ｓ１１）は上記実施例３の処理フロー（図７）の対応する処理と同様であり（但し，ｎの番号は使用頻度の順番を表す），説明を省略する。
【００２４】
図１０は実施例５の構成を示し，図１１は実施例５の処理フローである。
図１０において，１〜８は上記各実施例（図４，図６，図８）の同じ符号の各部に対応する。但し，この実施例５では，表示制御部４に書体名をリスト表示する書体名リスト表示部４ｃを備え，入力制御部２に書体名選択入力部２ｆを備えている。
【００２５】
図１１に示す実施例５の処理フローにより図１０の実施例５の構成を説明すると，書体指定指示入力部２ａから書体指定指示の入力があったか判別し（図１１のＳ１），入力があると制御部３は書体変更範囲指示入力部２ｂから書体変更する文書データの範囲取得を開始し（同Ｓ２），これを取得したか判別する（同Ｓ３）。取得されると，書体リスト５ｂにある書体名をリスト表示する（図１１のＳ４）。次にリストよりイメージ展開する書体名が選択（複数個を含む）されたか判別する（同Ｓ５）。選択されると，選択された書体名すべてに対して変更範囲をその書体に変更したイメージを作成し，そのイメージをリスト表示する（図１１のＳ６）。次にイメージデータのリストから書体選択されたか判別し（図１１のＳ７），選択されると書体変更範囲の文書データを選択された書体に変更して表示する（同Ｓ８）。
【００２６】
図１２は書体名リスト画面の例であり，上記図１１のステップＳ４において表示される。この例では，明朝体，太明朝体，・・・，太教科書体の８種類が表示され，太明朝体と太ゴシック体の２つの書体が選択された場合（書体名の先頭の小さい四角の中の×で表す）を示す。
【００２７】
この実施例５におけるイメージリストの表示を上記図３のＢ．に示すように変更することができる。その場合，上記の実施例５の処理フローのステップＳ６の処理を「選択された書体名全てに対して変更範囲をその書体に変更したイメージを作成し，変更範囲の周囲のデータとともに書体別にリスト表示する」に変更すればよい。
【００２８】
図１３は実施例６の構成を示し，図１４は実施例６の処理フローである。
図１３において，１〜８は実施例５（図１０）の同じ符号の各部に対応する。但し，実施例５とは記憶部５に使用頻度情報を含む書体リスト５ｂ’を備えている点で相違する。
【００２９】
図１４に示す実施例６の処理フローは，上記実施例５の処理フロー（図１１）において，書体名が選択された後のステップＳ６の処理を，「書体リストにある書体名全てに対して変更範囲をその書体に変更したイメージを作成し，そのイメージを使用頻度の高い順にリスト表示する」に変更した点が相違する。これにより，使用頻度の高いものを優先して表示する。
【００３０】
図１５は実施例７の構成を示し，図１６，図１７は実施例７の処理フロー（その１），（その２）である。
図１５において，１〜８は実施例５（図１０）の同じ符号の各部に対応する。但し，実施例５とは入力制御部２にリスト表示切替指示制御部２ｇを備える点で相違する。
【００３１】
図１６，図１７に示す実施例７の処理フローを図１５に示す構成を参照しながら説明すると，書体指定指示入力部２ａにより書体指定指示の入力があるか判別し（図１６のＳ１），入力があると書体変更範囲指示入力部２ｂより書体変更する文書データの範囲の取得を開始し（同Ｓ２），変更範囲の取得ができたか判別する（同Ｓ３）。取得できると，書体リスト５ｂによる処理を実行する。すなわち，書体リスト５ｂにある書体名を書体名リスト表示制御部４ｃによりリスト表示し（図１６のＳ４），その中から書体名選択入力部２ｆにより書体が選択されたか判別し（同Ｓ５），選択されると文書データ表示部４ａは書体変更範囲の文書データを選択された書体に変更して表示する（図１６の▲２▼の経路を介した図１７のＳ１０）。
【００３２】
書体名のリストより書体名が選択されないと，リスト表示切替指示入力部２ｇにより表示切替指示があるか判別し（図１６のＳ６），指示があると図１６の▲１▼の経路で図１７のイメージリストによる処理に移行する。すなわち，書体リスト５ｂのリストに登録されている全ての書体に対して，書体変更範囲の文書データをイメージ展開し，それぞれのイメージ展開したデータをイメージリスト表示部４ｂを介して表示する（図１７のＳ７）。次にリスト表示切替指示入力部２ｇから切替指示があるか判別し（同Ｓ８），切替指示があると書体リスト５ｂからリストに登録されている全ての書体の書体名を書体名リスト表示制御部４ｃを介して一覧表示する処理に戻る（図１７の▲４▼の経路）。切替指示がない場合は，イメージリスト選択入力部２ｃにより表示したリストから書体が選択されたか判別し（図１７のＳ９），選択されると文書データ表示部４ａは書体変更範囲の文書データを選択された書体に変更して表示する（同Ｓ１０）。
【００３３】
図１８は実施例８の構成を示す。図１８において，１〜８は実施例７（図１５）の同じ符号の各部に対応する。但し，実施例７とは記憶部２の書体リスト５ｂ’に使用頻度情報が含まれている点で相違する。
【００３４】
実施例８の処理フローは，上記実施例７の処理フロー（図１６，図１７）におけるステップＳ７（図１７）の処理を，「書体リスト５ｂ’のリストに登録されている書体名全てに対して変更範囲をその書体に変更したイメージを作成し，そのイメージを使用頻度の高い順にリスト表示する」という処理に変更したもので，その他の処理は同じである。
【００３５】
図１９は実施例９の構成を示し，図２０，図２１は実施例９の処理フロー（その１），（その２）である。
図１９において，１〜８は上記の各実施例の同じ符号の各部に対応する。この実施例９は上記図１に示す基本構成に対し，入力制御部２に書体再指定指示入力部２ｄと書体指定終了指示制御部２ｅが付加された構成に相当する。
【００３６】
図２０，図２１に示す実施例９の処理フローを図１９に示す構成を参照しながら説明すると，書体指定指示入力部２ａにより書体指定指示の入力があるか判別し（図２０のＳ１），入力があると書体変更範囲指示入力部２ｂより書体変更する文書データの範囲の取得を開始し（同Ｓ２），変更範囲の取得ができたか判別する（同Ｓ３）。取得できると，文書表示による選択処理を実行する。
【００３７】
すなわち，書体番号を表す変数ｎを１に設定し（図２０のＳ４），書体リスト５ｂよりｎ番目の書体に関する情報（例えば，書体番号または書体名等）を取得する（同Ｓ５）。次に文書データ表示部４ａにおいて取得した書体に関する情報をもとに書体変更範囲の文書データを指定した書体に変更して画面上に表示する（図２０のＳ６）。続いて書体再指定指示入力部２ｄへの入力があったか判別し（図２０のＳ７），入力がない場合は書体番号ｎに１を加算し（同Ｓ８），ｎが予め指定された文書表示限界値（数値ｉ）を越えない場合（同Ｓ９），上記ステップＳ５に戻り，同様の処理を繰り返す。書体再指定指示入力部２ｄへの入力があった場合は，書体指定終了指示制御部２ｅへの入力があったか判別し（同Ｓ１０），入力があると書体指定方式に関する処理を終了する。
【００３８】
書体番号が文書表示限界値（ｉ）をオーバーすると，図２１のイメージリストによる処理が開始され，書体リスト５ｂからリストに登録されている全ての書体に対して，書体変更範囲の文書ｄをイメージ展開し，それぞれイメージ展開したデータをイメージリスト表示部４ｂを介して表示する（図２１のＳ１１）。この表示に対して，書体が選択されたかイメージリスト選択入力部２ｃで判別し（同Ｓ１２），書体が選択されると，文書データ表示部４ａは書体変更範囲の文書データを選択された書体に変更して表示する（図２１のＳ１３）。
【００３９】
図２２は実施例１０の構成を示す。１〜８は実施例９（図１９）の同じ符号の各部に対応する。但し，実施例９とは記憶部５に使用頻度情報を含む書体リスト５ｂ’を備えている点で相違する。
【００４０】
この実施例１０の処理フローは，上記実施例９の処理フロー（図２０，図２１）のステップＳ１１の処理を，「書体リストにある書体名全てに対して変更範囲をその書体に変更したイメージを作成し，そのイメージを使用頻度の高い順にリスト表示する」に変更した点が相違し，その他の処理は同じである。
【００４１】
上記の各実施例１乃至実施例１０に示す各処理フローにより示す機能は，それぞれのフローを実現するプログラムとデータ（文書データ及び書体リストのデータ）を処理装置（ＣＰＵ及びメモリから成る）のメモリに格納した上で実行することができる。これらのプログラムとデータはＣＤ−ＲＯＭやフロッピーディスク等の記録媒体や，外部記憶装置（ＤＡＳＤ等）等に記録しておき，処理を行う時に記録媒体から読み出して処理装置のメモリにローディングしたり，回線を介して処理装置に転送することにより実行することができる。
【００４２】
【発明の効果】
本発明によればワードプロセッサやＤＴＰ装置等の文書作成を行う情報処理装置において，文書作成中に指定した範囲の文章を強調したい時に利用者が意図したとおりの書体に簡単に変換することができる。特に，指定した範囲の文章を複数の書体のイメージリストに変換して表示することで操作者が最適な書体を選択することが可能となる。また，選択可能な書体リストに使用頻度情報を付加してイメージリストの表示順を使用頻度で決めることにより書体の選択が効率化する。また，指定した範囲の文章だけでなく，その前後の文章も含めたイメージリストを表示することで，各書体による広い範囲の変換結果を知ることができる。
【図面の簡単な説明】
【図１】本発明の基本構成を示す図である。
【図２】実施例１の処理フローを示す図である。
【図３】イメージ展開した書体指定の画面の例を示す図である。
【図４】実施例２の構成を示す図である。
【図５】実施例２の処理フローを示す図である。
【図６】実施例３の構成を示す図である。
【図７】実施例３の処理フローを示す図である。
【図８】実施例４の構成を示す図である。
【図９】実施例４の処理フローを示す図である。
【図１０】実施例５の構成を示す図である。
【図１１】実施例５の処理フローを示す図である。
【図１２】書体名リスト画面の例を示す図である。
【図１３】実施例６の構成を示す図である。
【図１４】実施例６の処理フローを示す図である。
【図１５】実施例７の構成を示す図である。
【図１６】実施例７の処理フロー（その１）を示す図である。
【図１７】実施例７の処理フロー（その２）を示す図である。
【図１８】実施例８の構成を示す図である。
【図１９】実施例９の構成を示す図である。
【図２０】実施例９の処理フロー（その１）を示す図である。
【図２１】実施例９の処理フロー（その２）を示す図である。
【図２２】実施例１０の構成を示す図である。
【符号の説明】
１      文書処理部
２      入力制御部
２ａ    書体指定指示入力部
２ｂ    書体変更範囲指示入力部
２ｃ    イメージリスト選択入力部
３      制御部
４      表示制御部
４ａ    文書データ表示部
４ｂ    イメージリスト表示部
５      記憶部
５ａ    文書データ
５ｂ    書体リスト
６      表示メモリ
７      入力部
８      表示部
【図１】
0004015243.tif 000002
【図２】
0004015243.tif 000003
【図３】
0004015243.tif 000004
【図４】
0004015243.tif 000005
【図５】
0004015243.tif 000006
【図６】
0004015243.tif 000007
【図７】
0004015243.tif 000008
【図８】
0004015243.tif 000009
【図９】
0004015243.tif 000010
【図１０】
0004015243.tif 000011
【図１１】
0004015243.tif 000012
【図１２】
0004015243.tif 000013
【図１３】
0004015243.tif 000014
【図１４】
0004015243.tif 000015
【図１５】
0004015243.tif 000016
【図１６】
0004015243.tif 000017
【図１７】
0004015243.tif 000018
【図１８】
0004015243.tif 000019
【図１９】
0004015243.tif 000020
【図２０】
0004015243.tif 000021
【図２１】
0004015243.tif 000022
【図２２】
0004015243.tif 000023